(57)【要約】【課題】バリアフリー住宅において、ドアを閉めたときに床面とドア下部の隙間をなくし隙間風を防ぎ、冷暖房効果を向上し、省エネに対応すること。【解決手段】ドア下部に上下可動式防風板を埋め込み、上下可動式防風板上部にバネを取り付け、上下可動式防風板下部には磁石を取り付ける。床にはドアを閉じた位置の床面に磁石を埋め込む。ドアを開いた状態では、バネの収縮力で上下可動式防風板をドア内部に収納し、ドアを閉じた状態では、床面に埋め込んだ磁石と上下可動式防風板に取り付けた磁石の磁力により、上下可動式防風板がドアから出て、上下可動式防風板が床面に接地してドアと床面の隙間をなくし、冷暖房効果が向上することで、省エネに貢献することができる。【選択図】図１
2008150939.tif 000002
【特許請求の範囲】
【請求項１】
ドアの下部に上下可動式防風板を設けたことを特徴とするドアおよび、バリアフリー住宅の床面に磁石を埋め込んだことを特徴とする床。
【請求項２】
前記ドアは、ドアを開くことで上下可動式防風板が上下可動式防風板に設置されたバネの収縮力でドア内部に格納され、ドアの開閉をスムーズにすることを特徴とする請求項１記載のドア。
【請求項３】
前記ドアは、ドアを閉じることで上下可動式防風板が床面に埋め込んだ磁石の磁力で床面に接地することを特徴とする請求項１記載のドア。
【請求項４】
前記上下可動式防風板は、上下に可動し、上にあるときは、ドアに格納されドアの開閉をスムーズにし、下にあるときは、ドアから出て床面に接地してドアと床面の隙間をなくすことを特徴とする上下可動式防風板。
【請求項５】
前記床面は、上下可動式防風板を床面に接地するための磁石を埋め込んだ床でバリアフリー住宅用の平面床に対応したことを特徴とする床。
【請求項６】
それぞれの装置はバネの収縮力と磁石の磁力により動作するため電力などのエネルギーを必要としない、そのため、省エネでかつ仕組みが単純であることを特徴とする請求事項１ドアと床である。
【発明の詳細な説明】
【技術分野】
【０００１】本発明は、バリアフリー住宅における上下可動式防風板付きドアと磁石埋め込み床に関するものである。
【背景技術】
【０００２】バリアフリー住宅では床面が平面であるためにドアと床面の間に隙間ができて、隙間に風が通って冷暖房効果の妨げになっていた。
【発明の開示】
【発明が解決しようとする課題】
【０００３】従来のバリアフリー住宅におけるドアでは、ドアを閉めた状態であってもバリアフリー住宅の条件である床面が平面で間仕切りの段差がないためにドアと床面の間に隙間ができていた。そのため、部屋と部屋を間仕切ることが目的のドアの本来の役目を果たすことができず、ドア下部と床面の隙間をすき間風が通るため、防音や冷暖房効果などの妨げとなり、省エネに対応できなかった。
そこで、本発明は、バリアフリー住宅の床面を平面にしたままドアと床面の隙間をなくして隙間風を防ぎ冷暖房効果を向上させることで省エネに貢献するとと本発明が電気などのエネルギーを必要とせず省エネに貢献することを課題とする。
【課題を解決するための手段】
【０００４】［図１］ドアの下部に上下可動式防風板を埋め込む。床面に、上下可動式防風板の磁石と引っ付く極を上にした磁石を埋め込む。上下可動式防風板上部にはバネを取り付けて、ドアが開いた状態では上下可動式防風板がバネの収縮力でドア内部に格納されるようにする。ドアが閉じた状態では上下可動式防風板下部に取り付けられた磁石と床面に埋め込まれた磁石の磁力により上下可動式防風板がドア部から出て床面に接地する。上下可動式防風板が床面に設置することでドア下部と床面の隙間をなくし防音や冷暖房効果向上が期待できる。
［図７］［図９］［図１１］は、ドアを開けた状態でバネが収縮して、上下可動式防風板がドア内部に格納された状態を表している。［図８］［図１０］［図１２］は、ドアを閉めた位置の床面に埋め込まれた磁石と上下可動式防風板がドアから出た状態を表している。［図１１］は、ドアを開けて上下可動式防風板がドアに格納された状態で床面に埋め込まれた磁石とドアの位置関係を表している。［図１２］は、ドアを閉じて上下可動式防風板が床面に引っ付いた状態で、床面に埋め込まれた磁石とドアの位置関係を表している。
【発明の効果】
【０００５】バリアフリー住宅において床面を平面にしたままドアと床面の隙間をなくし隙間風が通ることを防ぎ、冷暖房効果向上が図れ、省エネに貢献できる。また装置を稼動させるために電力などのエネルギーを必要としないことでも省エネに貢献できる。
【図面の簡単な説明】
【０００６】
【図１】  本発明に係るドアの実施形態を示す図で、ドアと上下可動式防風板と床面を斜め上から見た斜視図である。
【図２】  本発明に係るドアの実施形態のドアと床面を示す図で、ドアと上下可動式防風板が床面に接地した状態を斜め上から見た斜視図である。
【図３】  本発明に係るためのドアのみの構造を示す図で、ドアと上下可動式防風板を埋め込むための穴部を斜め上から見た斜視図である。
【図４】  本発明に係るためのドアのみの構造を示す図で、ドアと上下可動式防風板を埋め込むための穴部を斜め下から見た斜視図である。
【図５】  本発明に係るための上下可動式防風板のみの構造を示す図で、上下可動式防風板とバネと磁石を斜め上から見た斜視図である。
【図６】  本発明に係るためのドア枠と床面に埋め込んだ磁石の位置関係を示すために斜め上から見た斜視図である。
【図７】  本実施形態のドアの構造を示すドアの正面図である。ドアを開いた場合でバネの収縮力で上下可動式防風板がドアの内部に格納されドア下部に隙間がある状態を現している。
【図８】  本実施形態のドアの構造を示すドアの正面図である。ドアを閉じた場合で上下可動式防風板に埋め込まれた磁石と床面に埋め込まれた磁石が引っ付き上下可動式防風板が床面に設置してドア下部と床面の隙間がない状態を現している。
【図９】  本実施形態のドアの構造を示すドアの側面図である。ドアを開いた場合でバネの収縮力で上下可動式防風板がドアの内部に格納されドア下部に隙間ができたときの床面に埋め込まれた磁石との位置関係を現した図である。
【図１０】  本実施形態のドアの構造を示すドアの側面図である。ドアを閉じた場合で上下可動式防風板に埋め込まれた磁石と床面に埋め込まれた磁石が引っ付き上下可動式防風板が床面に引っ付いてドア下部と床面の隙間がなくなつたときの床面に埋め込まれた磁石との位置関係を現した図である。
【図１１】  本実施形態のドアの構造を示すドアの上面図である。ドアを開いた場合で上下可動式防風板がドアに格納したときのドアの上下可動式防風板に埋め込まれた磁石と床面に埋め込まれた磁石とドア枠の位置関係を現した図である。
【図１２】  本実施形態のドアの構造を示すドアの上面図である。ドアを閉じた場合で上下可動式防風板がドアから出て床面に接地したときのドアの上下可動式防風板に埋め込まれた磁石と床面に埋め込まれた磁石とドア枠の位置関係を現した図である。
【符号の説明】
【０００７】１    ドア
２    上下可動式防風板
３    バネ
４    磁石
５    上下可動式防風板埋め込み部
６    床面
７    ドア枠柱部
８    ドア枠上部
９    ドアノブ
ａ    上下可動式防風板の上下の軌道線を示す
ｂ    ドアのドア開閉時の軌道線を示す
ｃ    ドア枠と床面の磁石の位置関係を示す
【図１】
2008150939.tif 000003
【図２】
2008150939.tif 000004
【図３】
2008150939.tif 000005
【図４】
2008150939.tif 000006
【図５】
2008150939.tif 000007
【図６】
2008150939.tif 000008
【図７】
2008150939.tif 000009
【図８】
2008150939.tif 000010
【図９】
2008150939.tif 000011
【図１０】
2008150939.tif 000012
【図１１】
2008150939.tif 000013
【図１２】
2008150939.tif 000014